Podtech/llm-jp-corpus-v4-ja_patent huggingface dataset:
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
ゲル浸透クロマトグラフィー（ＧＰＣ、Ｇｅｌ  ｐｅｒｍｅａｔｉｏｎ  ｃｈｒｏｍａｔｏｇｒａｐｈｙ）による分子量分布曲線が単峰形（ｕｎｉｍｏｄａｌ）を有し、
分子量分布（ＰＤＩ；ＭＷＤ）が１．０以上１．７未満であり、
下記化学式１で表される変性単量体由来の官能基を含み、少なくとも一末端に、アミノアルコキシシラン系変性剤由来の官能基を含む、変性共役ジエン系重合体。
【化６】
2020533459.tif 000001
（前記化学式１中、
Ｘ1およびＸ2は、互いに独立して、水素または−Ｏ［ＣＨ2ＣＨ2Ｏ］aＣＨ3であって、Ｘ1およびＸ2の何れか１つは−Ｏ［ＣＨ2ＣＨ2Ｏ］aＣＨ3であり、他の１つは水素であり、Ｒ1は、水素または炭素数１〜２０の１価の炭化水素基であり、
ａは１〜１１の整数である。）
【請求項２】
前記化学式１中、Ｒ1は、水素、炭素数１〜２０のアルキル基、炭素数３〜２０のシクロアルキル基、炭素数６〜２０のアリール基、炭素数７〜２０のアリールアルキル基、炭素数１〜２０のアルコキシ基、炭素数２〜２０のアルコキシアルキル基、または炭素数７〜２０のフェノキシアルキル基である、請求項１に記載の変性共役ジエン系重合体。
【請求項３】
前記アミノアルコキシシラン系変性剤は、下記化学式２または化学式３で表される化合物から選択される、請求項１または２に記載の変性共役ジエン系重合体。
【化７】
2020533459.tif 000002
（Ｒa1およびＲa4は、互いに独立して、単結合、または炭素数１〜１０のアルキレン基であり、
Ｒa2およびＲa3は、互いに独立して、炭素数１〜１０のアルキル基であり、
Ｒa5は、水素原子、炭素数１〜１０のアルキル基、または炭素数１〜１０のアルキル基で置換された２価、３価、もしくは４価のアルキルシリル基であり、
ｎ1は１〜３の整数であり、
ｎ2は０〜２の整数であり、
【化８】
2020533459.tif 000003
前記化学式３中、
Ａ1およびＡ2は、互いに独立して、炭素数１〜２０のアルキレン基であり、
Ｒb1〜Ｒb4は、互いに独立して、炭素数１〜２０のアルキル基であり、
Ｌ1〜Ｌ4は、互いに独立して、炭素数１〜２０のアルキル基、炭素数６〜２０のアリール基、または炭素数１〜１０のアルキル基で置換された２価、３価、もしくは４価のアルキルシリル基である。）
【請求項４】
前記化学式２中、Ｒa1およびＲa4は、互いに独立して、単結合、または炭素数１〜５のアルキレン基であり、
Ｒa2およびＲa3は、互いに独立して、炭素数１〜５のアルキル基であり、
Ｒa5は、水素原子、炭素数１〜５のアルキル基、または炭素数１〜５のアルキル基で置換された４価のアルキルシリル基である、請求項３に記載の変性共役ジエン系重合体。
【請求項５】
前記化学式３中、Ａ1およびＡ2は、互いに独立して、炭素数１〜１０のアルキレン基であり、
Ｒb1〜Ｒb4は、互いに独立して、炭素数１〜１０のアルキル基であり、
Ｌ1〜Ｌ4は、互いに独立して、炭素数１〜１０のアルキル基、炭素数６〜１２のアリール基、または炭素数１〜５のアルキル基で置換された４価のアルキルシリル基である、請求項３または４に記載の変性共役ジエン系重合体。
【請求項６】
数平均分子量（Ｍｎ）が１，０００ｇ／ｍｏｌ〜２，０００，０００ｇ／ｍｏｌであり、重量平均分子量（Ｍｗ）が１，０００ｇ／ｍｏｌ〜３，０００，０００ｇ／ｍｏｌであり、ピーク平均分子量（Ｍｐ）が１，０００ｇ／ｍｏｌ〜３，０００，０００ｇ／ｍｏｌである、請求項１〜５のいずれか一項に記載の変性共役ジエン系重合体。
【請求項７】
Ｓｉの含量およびＮの含量がそれぞれ、重量基準で５０ｐｐｍ以上である、請求項１〜６のいずれか一項に記載の変性共役ジエン系重合体。
【請求項８】
１００℃で測定されたムーニー緩和率が０．７以上３．０以下である、請求項１〜７のいずれか一項に記載の変性共役ジエン系重合体。
【請求項９】
粘度検出器を備えたゲル浸透クロマトグラフィー−光散乱法の測定により求められる収縮因子が０．８〜３．０である、請求項１〜８のいずれか一項に記載の変性共役ジエン系重合体。
【請求項１０】
前記変性共役ジエン系重合体のカップリング数（Ｃ．Ｎ．）は１＜Ｃ．Ｎ．＜Ｆであり、ここで、Ｆは変性剤の官能基の数である、請求項１〜９のいずれか一項に記載の変性共役ジエン系重合体。
【請求項１１】
請求項１〜１０のいずれか一項に記載の変性共役ジエン系重合体、および充填剤を含むゴム組成物。
【請求項１２】
前記変性共役ジエン系重合体１００重量部に対して、０．１重量部〜２００重量部の充填剤を含む、請求項１１に記載のゴム組成物。
【請求項１３】
前記充填剤が、シリカ系充填剤またはカーボンブラック系充填剤である、請求項１１または１２に記載のゴム組成物。
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
組成物であって、
ｉ）フッ化水素と、
ｉｉ）３，３，３−トリフルオロ−２−（トリフルオロメチル）プロパ−１−エン、
２−クロロ−１，１，１，４，４，４−ヘキサフルオロブタン、及び、
１，１，１，２，４，４，４−ヘプタフルオロブタンからなる群から選択される化合物と、を含み、
前記化合物が、前記フッ化水素と共沸組成物又は共沸様組成物を形成するのに有効な量で存在する、組成物。
【請求項２】
前記化合物が、３，３，３−トリフルオロ−２−（トリフルオロメチル）プロパ−１−エンである、請求項１に記載の組成物。
【請求項３】
前記組成物が、約４５〜約７２モルパーセントのフッ化水素と、約５５〜約２８モルパーセントの３，３，３−トリフルオロ−２−（トリフルオロメチル）プロパ−１−エンと、を含み、且つ、前記組成物が、約３ｐｓｉａ〜約８００ｐｓｉａの圧力で約−３０℃〜約１４０℃の沸点を有する、請求項２に記載の組成物。
【請求項４】
前記化合物が、２−クロロ−１，１，１，４，４，４−ヘキサフルオロブタンである、請求項１に記載の組成物。
【請求項５】
前記組成物が、約７７〜約９７モルパーセントのフッ化水素と、約２３〜約３モルパーセントの２−クロロ−１，１，１，４，４，４−ヘキサフルオロブタンと、を含み、且つ、前記組成物が、約１ｐｓｉａ〜約５１０ｐｓｉａの圧力で約−３０℃〜約１４０℃の沸点を有する、請求項４に記載の組成物。
【請求項６】
前記化合物が、１，１，１，２，４，４，４−ヘプタフルオロブタンである、請求項１に記載の組成物。
【請求項７】
前記組成物が、約６８〜約８９モルパーセントのフッ化水素と、約３２〜約１１モルパーセントの１，１，１，２，４，４，４−ヘプタフルオロブタンと、を含み、且つ、前記組成物が、約１ｐｓｉａ〜約６６５ｐｓｉａの圧力で約−３０℃〜約１４０℃の沸点を有する、請求項６に記載の組成物。
【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
以下の構造を有する繰り返し単位を含む精製された多糖体であって、
【化１】
2020533438.tif 000001
式中、ｘは、０．０〜１．０のモル比を示す、精製された多糖体。
【請求項２】
前記多糖体が１０〜５０００の繰り返し単位を有する、請求項１に記載の多糖体。
【請求項３】
前記多糖体が１５０〜２０００の繰り返し単位を有する、請求項１に記載の多糖体。
【請求項４】
前記多糖体が、ＭＡＬＳにより決定される５０ｋＤａ〜４０００ｋＤａの平均分子量を有する、請求項１に記載の多糖体。
【請求項５】
前記多糖体が、ＭＡＬＳにより決定される１００ｋＤａ〜３５００ｋＤａの平均分子量を有する、請求項１に記載の多糖体。
【請求項６】
ｘが０．５〜１．０である、請求項１に記載の多糖体。
【請求項７】
ｘが０．７〜１．０である、請求項６に記載の多糖体。
【請求項８】
以下の構造の繰り返し単位を有する多糖体から生成された活性化多糖体であって、
【化２】
2020533438.tif 000002
式中、ｘは、０．０〜１．０のモル比を示し、そしてここで、前記多糖体は、化学試薬によって活性化されてリンカーまたはキャリアタンパク質へのコンジュゲーションのための反応基を生成する、活性化多糖体。
【請求項９】
前記活性化が前記グリセロール−１−ＰＯ４糖のうちの１つ以上で起こる、請求項８に記載の活性化多糖体。
【請求項１０】
前記多糖体が過ヨウ素酸塩によって活性化される、請求項８に記載の活性化多糖体。
【請求項１１】
前記活性化が、前記グリセロール−１−ＰＯ４糖のうちの１つ以上の炭素２位で起こる、請求項１０に記載の活性化多糖体。
【請求項１２】
活性化の程度が前記グリセロール−１−ＰＯ４糖の各々でほぼ等しく生じる、請求項１１に記載の活性化多糖体。
【請求項１３】
以下の構造の繰り返し単位を有し、
【化３】
2020533438.tif 000003
（式中、ｘは０〜１．０のモル比を示す）、キャリアタンパク質にコンジュゲートされている多糖体を有する多糖体−タンパク質コンジュゲート。
【請求項１４】
前記キャリアタンパク質が、ＣＲＭ１９７、ジフテリア毒素フラグメントＢ（ＤＴＦＢ）、ＤＴＦＢ  Ｃ８、ジフテリアトキソイド（ＤＴ）、破傷風トキソイド（ＴＴ）、ＴＴのフラグメントＣ、百日咳トキソイド、コレラトキソイド、Ｅ．ｃｏｌｉ  ＬＴ、Ｅ．ｃｏｌｉ  ＳＴ、またはシュードモナス・エルギノーサ由来の外毒素Ａである、請求項１３に記載の多糖体−タンパク質コンジュゲート。
【請求項１５】
前記キャリアタンパク質がＣＲＭ１９７である、請求項１４に記載の多糖体−タンパク質コンジュゲート。
【請求項１６】
前記多糖体−タンパク質コンジュゲートが１，０００ｋＤａ〜１０，０００ｋＤａの分子量を有する、請求項１５に記載の多糖体−タンパク質コンジュゲート。
【請求項１７】
前記多糖体−タンパク質コンジュゲートが、０．４〜２．０の多糖体対タンパク質比を有する、請求項１５に記載の多糖体−タンパク質コンジュゲート。
【請求項１８】
前記タンパク質が、グリセロール−１−ＰＯ４糖の炭素２位を介して前記多糖体にコンジュゲートされている、請求項１３に記載の多糖体−タンパク質コンジュゲート。
【請求項１９】
請求項１３から１８のいずれか一項に記載の多糖体−タンパク質コンジュゲートと、薬学的に許容される担体とを含む免疫原性組成物。
【請求項２０】
更に、ＣＲＭ１９７にコンジュゲートされた、ストレプトコッカス・ニューモニエの血清型１、２、３、４、５、６Ａ、６Ｂ、６Ｃ、６Ｄ、７Ｂ、７Ｃ、７Ｆ、８、９Ｎ、９Ｖ、１０Ａ、１１Ａ、１２Ｆ、１４、１５Ａ、１５Ｂ、１５Ｃ、１７Ｆ、１８Ｃ、１９Ａ、１９Ｆ、２０、２１、２２Ａ、２２Ｆ、２３Ａ、２３Ｂ、２３Ｆ、２４Ｆ、２７、２８Ａ、３１、３３Ｆ、３４、３５Ａ、３５Ｂ、３５Ｆおよび３８のうちの少なくとも１つに由来する莢膜多糖体を含む多糖体−タンパク質コンジュゲートを含む、請求項１９に記載の免疫原性組成物。
【請求項２１】
存在する場合０．８〜８μｇ／ｍＬの多糖体を含有する血清型６Ｂ多糖体を除いて、０．４〜４μｇ／ｍＬの各多糖体と、多糖体の総量の約０．５倍〜３倍の量のＣＲＭ１９７キャリアタンパク質とを含有するように製剤化される、請求項２０に記載の免疫原性組成物。
【請求項２２】
１５０ｍＭ塩化ナトリウムと、２０ｍＭ  Ｌ−ヒスチジン緩衝液と、０．０５〜２％ｗ／ｖの界面活性剤とをさらに含む、請求項２１に記載の免疫原性組成物。
【請求項２３】
アジュバントをさらに含む、請求項２２に記載の免疫原性組成物。
【請求項２４】
前記アジュバントがアルミニウムベースのアジュバントである、請求項２３に記載の免疫原性組成物。
【請求項２５】
前記アジュバントが、リン酸アルミニウム、硫酸アルミニウムおよび水酸化アルミニウムからなる群から選択される、請求項２４に記載の免疫原性組成物。
【請求項２６】
前記アジュバントがリン酸アルミニウムである、請求項２５に記載の免疫原性組成物。
【請求項２７】
前記リン酸アルミニウムアジュバントが０．０５〜０．５ｍｇ／ｍＬの濃度で存在する、請求項２６に記載の免疫原性組成物。
【請求項２８】
１５０ｍＭ塩化ナトリウムと、２０ｍＭ  Ｌ−ヒスチジン緩衝液と、０．０５〜２％ｗ／ｖの界面活性剤とをさらに含む、請求項２７に記載の免疫原性組成物。
【請求項２９】
ストレプトコッカス・ニューモニエ莢膜多糖体に対する免疫応答を誘発するための、請求項１９から２８のいずれか一項に記載の免疫原性組成物。
【請求項３０】
前記免疫原性組成物が、存在する場合４μｇである血清型６Ｂ多糖体を除いて、２μｇの各多糖体と、約３２μｇのＣＲＭ１９７キャリアタンパク質と、０．１２５ｍｇのリン酸アルミニウムアジュバントと、１５０ｍＭ塩化ナトリウムと、２０ｍＭ  Ｌ−ヒスチジン緩衝液と、０．２％ｗ／ｖのＰＳ−２０とを含有するように製剤化された単一の０．５ｍＬ用量である、請求項２９に記載の免疫原性組成物。
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
γカルボキシグルタミン酸成分（ＧＬＡ成分）に連結されたペイロードを含む分子であって、前記ＧＬＡ成分はＧＬＡドメインまたはその活性断片を含むが、ＧＬＡタンパク質由来の活性触媒ドメインは含まない、細胞内治療及び／又は診断用分子。
【請求項２】
ＧＬＡドメインまたはその活性断片がプロテインＳ由来である、請求項１に記載の分子。
【請求項３】
前記構築物が、トロンビン、第ＶＩＩ因子、第ＩＸ因子、第Ｘ因子、プロテインＣ、プロテインＳ、プロテインＺ、オステオカルシン、マトリックスＧＬＡタンパク質、ＧＡＳ６、トランスサイレチン（Transthretin）、ペリオスチン、プロリンリッチＧＬＡ１、プロリンリッチＧＬＡ２、プロリンリッチＧＬＡ３、およびプロリンリッチＧＬＡ４から選択されるＥＧＦドメインを含む、請求項１又は２に記載の分子。
【請求項４】
前記構築物がプロテインＳから選択されるＥＧＦドメインを含む、請求項３に記載の分子。
【請求項５】
前記ＧＬＡ成分が、配列番号６に示される配列またはＨｉｓタグを持たないその誘導体を含む、請求項１〜４のいずれか一項に記載の分子。
【請求項６】
前記ＧＬＡドメイン成分がクリングルドメインをさらに含む、請求項１〜５のいずれか一項に記載の分子。
【請求項７】
インビトロで実施される、請求項１〜６のいずれか一項に記載の分子。
【請求項８】
インビボで細胞内に送達される、請求項１〜７のいずれか一項に記載の分子。
【請求項９】
前記細胞が非アポトーシス性である、請求項１〜８のいずれか一項に記載の分子。
【請求項１０】
前記細胞がアポトーシス性である、請求項１〜８のいずれか一項に記載の分子。
【請求項１１】
前記細胞が幹細胞である、請求項１〜１０のいずれか一項に記載の分子。
【請求項１２】
前記幹細胞が表面マーカーＣＤ３４を有する、請求項１１に記載の分子。
【請求項１３】
前記幹細胞ががん幹細胞である、請求項１１または請求項１２に記載の分子。
【請求項１４】
前記幹細胞が造血幹細胞（haemotopoietic stem cell）である、請求項１１〜１３のいずれか一項に記載の分子。
【請求項１５】
前記ＧＬＡ成分が前記ペイロードと結合している、請求項１〜１４のいずれか一項に記載の分子。
【請求項１６】
前記ペイロードが抗ウイルス剤、抗細菌剤、抗寄生虫剤、抗がん剤、がん治療剤又は化学療法剤を含む、請求項１〜１５のいずれか一項に記載の分子。
【請求項１７】
前記ペイロードが、毒素、高分子、生物学的に活性なタンパク質、薬剤、放射性核種、金属キレート化剤、ナノ粒子、又はレポーター基を含む、請求項１〜１６のいずれか一項に記載の分子。
【請求項１８】
がん患者の治療及び／又は診断用である、請求項１〜１７のいずれか１項に記載の分子。
【請求項１９】
前記がんが上皮がんであり、例えば、結腸直腸がん、精巣がん、肝臓がん、胆道がん、前立腺がん、膵がん、グリア芽腫、メラノーマ、乳がん、卵巣がん、子宮頸がん、子宮がん、胃がん、食道がん、甲状腺がん、腎がん、膀胱がん、脳がん、頭頚部がん、肺がん、または、血液がんである、請求項１８に記載の分子。
【請求項２０】
前記抗寄生虫剤が、抗マラリア剤、スルファジアジン、チニダゾール、パロモマイシン、およびこれらの２つ以上の組み合わせから選択される、請求項１６に記載の分子。
【請求項２１】
前記ペイロードが前記細胞の内部で活性型に変換される、請求項１〜２０のいずれか一項に記載の分子。
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
重合性組成物の反応生成物を含むポリマー材料であって、前記重合性組成物が、
ａ．それ自体と反応したジイソシアネートの反応生成物を含むウレトジオン含有材料と、
ｂ．第一級アルコール又は第二級アルコールである、単一のＯＨ基を有する第１のヒドロキシル含有化合物と、
ｃ．ジオールである、１つを超えるＯＨ基を有する第２のヒドロキシル含有化合物と
を含み、前記反応生成物が、０．２〜０．５（両端を含む）の、イソシアネート当量に対するジオール当量を含み、
前記ポリマー材料が、９０％以上の固形分含有率を含み、
前記ポリマー材料が、ブルックフィールド粘度計を使用して決定される、１０ポアズ（Ｐ）〜１０，０００Ｐ（両端を含む）の動的粘度を有する、
ポリマー材料。
【請求項２】
前記ポリマー材料の主鎖中に、平均１．３〜２．５（両端を含む）のウレトジオン官能基を含む、請求項１に記載のポリマー材料。
【請求項３】
イソシアネートを本質的に含まない、請求項１又は２に記載のポリマー材料。
【請求項４】
前記ジイソシアネートが、ヘキサメチレンジイソシアネートを含む、請求項１〜３のいずれか一項に記載のポリマー材料。
【請求項５】
ａ．重合性組成物の反応生成物を含むポリマー材料を含む第１の部分であって、前記重合性組成物が、
ｉ．それ自体と反応したジイソシアネートの反応生成物を含むウレトジオン含有材料、
ｉｉ．第一級アルコール又は第二級アルコールである、単一のＯＨ基を有する第１のヒドロキシル含有化合物、及び
ｉｉｉ．１つを超えるＯＨ基を有する第２のヒドロキシル含有化合物
を含み、前記ポリマー材料が、前記ポリマー材料の主鎖中に、平均１．３〜２．５（両端を含む）のウレトジオン官能基を含み、前記ポリマー材料が、９０％以上の固形分含有率を含む、第１の部分と、
ｂ．少なくとも１つのアミンを含む第２の部分であって、前記少なくとも１つのアミンが２．０以上の平均アミン官能価を有し、各アミンが第一級アミン又は第二級アミンである、第２の部分と
を含む、２成分組成物。
【請求項６】
前記少なくとも１つのアミンが、１モル当たり２，０００ｇ以下の分子量を有する、請求項５に記載の２成分組成物。
【請求項７】
請求項５又は６に記載の２成分組成物の、重合生成物。
【請求項８】
基材の少なくとも一部をコーティングする、請求項７に記載の重合生成物。
【請求項９】
２つの基材の間に配置される、請求項７又は８に記載の重合生成物。
【請求項１０】
２つの基材を一緒に接着する方法であって、
ａ．２成分組成物を得ることであって、前記２成分組成物が、
ｉ．重合性組成物の反応生成物を含むポリマー材料を含む第１の部分であり、前記重合性組成物が、
１．それ自体と反応したジイソシアネートの反応生成物を含むウレトジオン含有材料、
２．第一級アルコール又は第二級アルコールである、単一のＯＨ基を有する第１のヒドロキシル含有化合物、及び
３．１つを超えるＯＨ基を有する第２のヒドロキシル含有化合物
を含み、前記ポリマー材料が、前記ポリマー材料の主鎖中に、平均１．３〜２．５（両端を含む）のウレトジオン官能基を含み、前記ポリマー材料が、９０％以上の固形分含有率を含む、第１の部分、並びに
ｉｉ．少なくとも１つのアミンを含む第２の部分であり、前記少なくとも１つのアミンが２．０以上の平均アミン官能価を有し、各アミンが第一級アミン又は第二級アミンである、第２の部分
を含む、得ることと、
ｂ．前記第１の部分の少なくとも一部を、前記第２の部分の少なくとも一部と合わせて混合物を形成することと、
ｃ．前記混合物の少なくとも一部を、第１の基材の第１の主面上に配置することと、
ｄ．第２の基材の第１の主面を、前記第１の基材上に配置された前記混合物と接触させることと
を含む、方法。
【請求項１１】
前記接着剤が、０．３メガパスカル（ＭＰａ）の、アルミニウム上の最小重ね剪断を呈する、請求項１０に記載の方法。
【請求項１２】
２成分組成物を製造する方法であって、
ａ．重合性組成物の反応生成物を含むポリマー材料を形成することにより第１の部分を提供することであって、前記重合性組成物が、
ｉ．それ自体と反応したジイソシアネートの反応生成物を含むウレトジオン含有材料、
ｉｉ．第一級アルコール又は第二級アルコールである、単一のＯＨ基を有する第１のヒドロキシル含有化合物、及び
ｉｉｉ．１つを超えるＯＨ基を有する第２のヒドロキシル含有化合物
を含み、前記ポリマー材料が、前記ポリマー材料の主鎖中に、平均１．３〜２．５（両端を含む）のウレトジオン官能基を含み、前記ポリマー材料が、９０％以上の固形分含有率を含む、第１の部分を提供することと、
ｂ．少なくとも１つのアミンを含む第２の部分を提供することであって、前記少なくとも１つのアミンが２．０以上の平均アミン官能価を有し、各アミンが第一級アミン又は第二級アミンである、第２の部分を提供することと
を含む、方法。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
放射線硬化性組成物であって、
少なくとも１つの放射線硬質化性成分と、
光開始剤と、
５０重量％以上の量のプリント可能な組成物の微粒子の集合を含む充填材料と、を含み、前記微粒子の集合は、粒径試験方法を使用して判定したときに体積平均基準で０．３マイクロメートルより大きいメジアン径（Ｄ５０）を呈し、更に、前記放射線硬化性組成物は、粘度試験方法を使用して測定したときに１５０Ｐａ・ｓ未満の粘度を呈し、任意に、前記放射線硬化性組成物は、有機溶媒を実質的に含まない、放射線硬化性組成物。
【請求項２】
前記少なくとも１つの放射線硬質化性成分が、エチレン性不飽和であり、任意選択で、前記少なくとも１つの放射線硬質化性成分が、二量体、三量体、オリゴマー、及びこれらの組み合わせからなる群から選択され、任意に、前記放射線硬化性組成物が、重合性モノマーを実質的に含まない、請求項１に記載の放射線硬化性組成物。
【請求項３】
前記光開始剤が、カチオン性光開始剤ではなく、任意選択で、前記光開始剤が、光ラジカル光開始剤である、請求項１に記載の放射線硬化性組成物。
【請求項４】
前記充填材料が、無機微粒子を含み、任意選択で、前記無機微粒子が、金属、金属合金、金属酸化物、金属窒化物、金属炭化物、炭素、及びこれらの組み合わせを含む、請求項１に記載の放射線硬化性組成物。
【請求項５】
前記無機微粒子が、表面処理されている、請求項４に記載の放射線硬化性組成物。
【請求項６】
前記微粒子の集合が、ナノ充填剤を含み、任意に、前記ナノ充填剤が、ナノクラスターを含む、請求項１に記載の放射線硬化性組成物。
【請求項７】
複合材物品の製造方法であって、前記方法が、
（ａ）放射線硬化性組成物が、
少なくとも１つの放射線硬質化性成分と、
光開始剤と、
５０重量％以上の量のプリント可能な組成物の微粒子の集合を含む充填材料と、を含み、前記微粒子の集合は、粒径試験方法を使用して判定したときに体積平均基準で０．３マイクロメートルより大きいメジアン径（Ｄ５０）を呈し、更に、前記放射線硬化性組成物は、粘度試験方法を使用して測定したときに１５０Ｐａ・ｓ未満の粘度を呈し、任意に、前記放射線硬化性組成物は、有機溶媒を実質的に含まない、放射線硬化性組成物を提供するステップと、
（ｂ）前記放射線硬化性組成物の一部分を化学線源に選択的に曝露して、前記放射線硬化性組成物の前記曝露部分を少なくとも部分的に硬化させ、それによって硬質化された層を形成するステップと、を含み、ステップ（ａ）及び（ｂ）が繰り返されて、ニアネットシェイプ複合材物品を形成し、任意選択で、
前記放射線硬化性組成物を加熱するステップ、未硬化放射線硬化性組成物を前記ニアネットシェイプ複合材物品から除去するステップ、前記ニアネットシェイプ複合材物品を溶媒で洗浄するステップ、又は前記ニアネットシェイプ複合材物品を加熱するステップ、のうちの少なくとも１つを更に含む、複合材物品の製造方法。
【請求項８】
歯科用修復物であり、任意選択で、前記歯科用修復物が、クラウン、ブリッジ、インレー、オンレー、べニア、ポンティック、又はこれらの組み合わせからなる群から選択される、請求項７に記載の方法に従って調製された複合材物品。
【請求項９】
システムであって、
歯科用修復物の３Ｄモデルを表示するディスプレイと、
ユーザーによって選択された前記３Ｄモデルに応じて、積層造形方法を使用してニアネットシェイプ複合歯科用修復物を積層造形デバイスに作製させる、１つ以上のプロセッサと、を備え、前記積層造形方法が、
（ａ）放射線硬化性組成物が、
少なくとも１つの放射線硬質化性成分と、
光開始剤と、
５０重量％以上の量のプリント可能な組成物の微粒子の集合を含む充填材料と、を更に含み、前記微粒子の集合は、粒径試験方法を使用して判定したときに体積平均基準で０．３マイクロメートルより大きいメジアン径（Ｄ５０）を呈し、更に、前記放射線硬化性組成物は、粘度試験方法を使用して測定したときに１５０Ｐａ・ｓ未満の粘度を呈し、任意に、前記放射線硬化性組成物は、有機溶媒を実質的に含まない、放射線硬化性組成物を提供するステップと、
（ｂ）前記放射線硬化性組成物の一部分を化学線源に選択的に曝露して、前記放射線硬化性組成物の前記曝露部分を少なくとも部分的に硬化させ、それによって硬質化された層を形成するステップと、を含み、ステップ（ａ）及び（ｂ）が逐次的に又は連続的に繰り返されて、前記ニアネットシェイプ複合歯科用修復物を形成する、システム。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
２つの相互接続された重合ゾーンを有する反応器中において行われる気相中のオレフィン重合方法であって、第１のゾーンは「上昇管」と呼ばれ、第２のゾーンは「下降管」と呼ばれ、前記成長中のポリマー粒子は：
ａ）  ガスおよび液体の混合物の供給により確立される高速流動条件下において前記上昇管を通じて流動し；
ｂ）  前記上昇管から退出し、前記下降管に進入し、前記下降管を通じて高密度化形態で下方流動し；
ｃ）  前記下降管から退出し、前記上昇管中へ再導入されることで、前記上昇管と前記下降管との間にポリマー循環を確立させ；
前記反応器は、前記上昇管ガスの露点を超える０℃〜５℃の温度において前記動作圧力において動作され；さらに前記上昇管中において、前記成長中のポリマー粒子およびガス流れに加えて、一定量の液体も存在する、方法。
【請求項２】
前記２つの相互接続された重合ゾーンは、前記下降管の上部中に「バリア流れ」と呼ばれる液体および／またはガス流れを導入することにより、前記上昇管から来た前記ガス混合物が前記下降管に全体的にまたは部分的に進入する事態を回避するように動作され、前記「バリア流れ」の組成は、前記上昇管中に存在する前記ガス状混合物と異なる、請求項１に記載の方法。
【請求項３】
前記バリアスチームは：
ｉ．      １０〜１００モル％のプロピレンと、
ｉｉ．    ０〜８０モル％のエチレンと、
ｉｉｉ．  ０〜３０モル％のプロパンと、
ｉｖ．    ０〜５モル％の水素と、を含む、請求項２に記載の方法。
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
データの動的再配置のためのコンピュータ実装方法であって、前記方法が、
エンタープライズ・ストレージ・システムの複数のローカル・ランクに格納されたデータへのアクセスを監視することと、
前記監視されたアクセスに基づいて、既定の時間の間アクセスされていないデータを識別することと、
前記既定の時間の間アクセスされていない前記データを前記エンタープライズ・ストレージ・システムの１つまたは複数のクラウド・ベースのランクに移動することとを含み、各クラウド・ベースのランクが、１つまたは複数のクラウド・ストレージ・デバイス上のストレージ空間を含み、前記１つまたは複数のクラウド・ストレージ・デバイス上の前記ストレージ空間が、仮想ローカル・ランクとしてグループ化された対応する仮想ローカル・アドレスにマッピングされる、コンピュータ実装方法。
【請求項２】
前記移動されたデータの少なくとも一部に前記対応する仮想ローカル・アドレスに向けられたアクセス要求に応答して、前記アクセス要求を、前記１つまたは複数のクラウド・ベースのランクの前記１つまたは複数のクラウド・ストレージ・デバイスに対応するアプリケーション・プログラミング・インターフェイス（ＡＰＩ）用に構成されたクラウド・データ・アクセス要求に変換することと、
前記移動されたデータの前記少なくとも一部を前記１つまたは複数のクラウド・ベースのランクから前記複数のローカル・ランクのうちの少なくとも１つに再配置することとをさらに含んでいる、請求項１に記載の方法。
【請求項３】
移動されたデータのすべてが前記複数のローカル・ランクのうちの少なくとも１つに再配置されたことを決定することと、
前記１つまたは複数のクラウド・ベースのランクを削除することとをさらに含んでいる、請求項２に記載の方法。
【請求項４】
前記既定の時間が、既定の週数または既定の日数のうちの１つを含んでいる、請求項１に記載の方法。
【請求項５】
前記データを移動することが、
十分なストレージ空間を有しているクラウド・ベースのランクを使用できないということの決定に応答して、１つまたは複数の新しいクラウド・ベースのランクを作成することを含んでおり、
前記１つまたは複数の新しいクラウド・ベースのランクの各々を作成することが、
クラウド・インターフェイスを介して１つまたは複数の対応するクラウド・ストレージ・デバイス上のストレージ空間を割り当てることと、
前記割り当てられたストレージ空間を対応する仮想ローカル・アドレスにマッピングすることと、
仮想ローカル・ランクとして前記仮想ローカル・アドレスをグループ化することとを含んでいる、請求項１に記載の方法。
【請求項６】
前記データを移動することが、前記既定の時間の間アクセスされていない前記データの前記サイズが既定のサイズしきい値を超えているということの決定に応答して、前記既定の時間の間アクセスされていない前記データを前記１つまたは複数のクラウド・ベースのランクに移動することを含んでいる、請求項１に記載の方法。
【請求項７】
前記データを移動することが、前記複数のローカル・ランク上で使用できる空間が既定の使用可能な空間しきい値未満であるということの決定に応答して、前記既定の時間の間アクセスされていない前記データを前記１つまたは複数のクラウド・ベースのランクに移動することを含んでいる、請求項１に記載の方法。
【請求項８】
前記ランクがＲＡＩＤアレイを含んでいる、請求項１に記載の方法。
【請求項９】
ホスト・アダプタを１つまたは複数のホスト・デバイスに通信によって結合するように構成された１つまたは複数のポートを含んでいる前記ホスト・アダプタと、
プロセッサおよびメモリを備えているストレージ・コントローラであって、前記ホスト・アダプタに通信によって結合されている、前記ストレージ・コントローラと、
プロセッサおよびメモリを備えているデバイス・アダプタであって、前記ストレージ・コントローラに通信によって結合されている、前記デバイス・アダプタとを備えている、ストレージ・システムであって、
前記デバイス・アダプタが、複数のローカル・ストレージ・ドライブに通信によって結合された複数のポートと、ネットワークを介して複数のクラウド・ストレージ・デバイスに通信によって結合された少なくとも１つのネットワーク・ポートとをさらに含んでおり、
前記デバイス・アダプタおよび前記ストレージ・コントローラのうちの１つが、請求項１ないし８のいずれかに記載の方法の前記ステップを実行するように構成されたデータ再配置モジュールを実装するようにさらに構成されている、ストレージ・システム。
【請求項１０】
プロセッサに、請求項１ないし８のいずれかに記載の前記方法の前記ステップを実行させる、コンピュータ・プログラム。
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
感染症を患っており、１つ以上の抗生剤で治療を受けている患者における抗生物質療法のガイダンス、層別化、および／または制御のための方法であって、
−前記患者から単離した第１の試料および前記第１の試料の単離および抗生物質治療の開始後の時点で前記患者から単離した第２の試料中のプロカルシトニン（ＰＣＴ）または１以上のその断片のレベルを決定することと、
−少なくとも前記第２の試料中のｐｒｏＡＤＭまたは１以上のその断片のレベルを決定することと、を含み、
−前記第１および第２の試料中の前記ＰＣＴまたは１以上のその断片のレベル、ならびに前記第２の試料中の前記ｐｒｏＡＤＭまたは１以上のその断片のレベルが、１つ以上の抗生剤での治療に変更が必要であるかどうかを示す、前記方法。
【請求項２】
前記患者の感染症の症状を決定する際に前記第１の試料が単離され、前記症状の最初の決定および抗生物質治療の開始後に前記第２の試料が単離される、請求項１に記載の方法。
【請求項３】
前記第２の試料が、感染症の症状の決定および抗生物質治療の開始後３０分以内、または感染症の症状の決定および抗生物質治療の開始から少なくとも３０分、１時間、２時間、６時間、および／もしくは１２時間後に前記患者から単離される、請求項２に記載の方法。
【請求項４】
前記第２の試料が、感染症の症状の決定および抗生物質治療の開始から１２〜３６時間および／または３〜５日後に前記患者から単離される、請求項２に記載の方法。
【請求項５】
前記患者が、敗血症および／または敗血症性ショックを患っていると診断される、請求項１〜４のいずれかに記載の方法。
【請求項６】
ＭＲ−ｐｒｏＡＤＭのレベルを決定することを含む、請求項１〜５のいずれか一項に記載の方法。
【請求項７】
−前記第１の試料と比較して上昇したレベルの、前記第２の試料中のＰＣＴまたは１以上のその断片、および
−前記第２の試料中の中程度または高重症度レベルのｐｒｏＡＤＭまたは１以上のその断片が、前記１つ以上の抗生剤の変更が必要であることを示し、
−中程度重症度レベルのｐｒｏＡＤＭまたは１以上のその断片が、４ｎｍｏｌ／ｌ超であって、６．５ｎｍｏｌ／ｌ未満であり、
−高重症度レベルのｐｒｏＡＤＭまたは１以上のその断片が、６．５ｎｍｏｌ／ｌ超である、請求項１〜６のいずれか一項に記載の方法。
【請求項８】
加えて、前記第１の試料中のｐｒｏＡＤＭまたは１以上のその断片のレベルを決定することを含む、請求項１〜７のいずれか一項に記載の方法。
【請求項９】
前記第１の試料と比較して上昇したレベルの、前記第２の試料中のｐｒｏＡＤＭまたは１以上のその断片が、前記１つ以上の抗生剤の変更が必要であることを示す、請求項１〜８に記載の方法。
【請求項１０】
−前記第１の試料と比較して低レベルの、前記第２の試料中のＰＣＴまたは１以上のその断片、および
−第２の試料中の高重症度レベルのｐｒｏＡＤＭもしくは１以上のその断片、または低重症度レベルから中程度もしくは高重症度レベルへの、もしくは中程度重症度レベルから高重症度レベルへの上昇などの、第１の試料と比較して上昇した重症度レベルの第２の試料中のｐｒｏＡＤＭまたは１以上のその断片が、前記１つ以上の抗生剤の変更が必要であることを示し、
−低重症度レベルのｐｒｏＡＤＭまたは１以上のその断片が、４ｎｍｏｌ／ｌ未満であり、
−中程度重症度レベルのｐｒｏＡＤＭまたは１以上のその断片が、４ｎｍｏｌ／ｌ超であって、６．５ｎｍｏｌ／ｌ未満であり、
−高重症度レベルのｐｒｏＡＤＭまたは１以上のその断片が、６．５ｎｍｏｌ／ｌ超である、請求項１〜９のいずれか一項に記載の方法。
【請求項１１】
−前記第１の試料と比較して５０％超低レベルの、前記第２の試料中のＰＣＴまたは１以上のその断片、および
−前記第１の試料中の低重症度レベルのｐｒｏＡＤＭまたは１以上のその断片と比較して中程度重症度レベルの、前記第２の試料中のｐｒｏＡＤＭまたは１以上のその断片が、前記１つ以上の抗生剤の変更が必要であることを示す、請求項１〜１０のいずれか一項に記載の方法。
【請求項１２】
−前記第１の試料と比較して５０％未満低レベルの、前記第２の試料中のＰＣＴまたはその断片（複数可）、および
−第１の試料中の中程度重症度レベルのｐｒｏＡＤＭまたは１以上のその断片と比較して高重症度レベルの、第２の試料中のｐｒｏＡＤＭまたは１以上のその断片は、１つ以上の抗生剤の変更が必要であることを示す、請求項１〜８のいずれか一項に記載の方法。
【請求項１３】
前記第１および前記第２の試料が、血液試料、血清試料、血漿試料、および／または尿試料からなる群から選択される、請求項１〜１２のいずれか一項に記載の方法。
【請求項１４】
感染症を患っており、１つ以上の抗生剤で治療を受けている患者における、請求項１〜１３のいずれか一項による、抗生物質療法のガイダンス、療法の層別化および／または制御のための方法であって、加えて、
−前記第１および前記第２の試料中の少なくとも１つの追加のバイオマーカーまたは１以上のその断片のレベルを決定することを含み、
−前記第１および第２の試料中の前記少なくとも１つの追加のバイオマーカーのレベル、ならびに前記第２の試料中の前記ｐｒｏＡＤＭまたは１以上のその断片のレベルが、継続中の抗生物質治療に変更が必要かどうかを示す、前記方法。
【請求項１５】
感染症を患っており、１つ以上の抗生剤で治療を受けている患者における、請求項１〜１４のいずれか一項による、抗生物質療法のガイダンス、療法の層別化および／または制御のための方法であって、加えて、
−前記第１の試料の単離の時点および前記第２の試料の単離の時点で少なくとも１つの臨床スコアを決定することを含み、
−前記第１および第２の試料の単離の時点での前記少なくとも１つの臨床スコア、ならびに前記第２の試料中の前記ｐｒｏＡＤＭまたは１以上のその断片のレベルが、継続中の抗生物質治療の変更が必要かどうかを示す、前記方法。
【請求項１６】
請求項１〜１５のいずれか一項に記載の方法を実行するためのキットであって、
−対象からの試料中の前記ｐｒｏＡＤＭまたは１以上のその断片のレベルを決定するための検出試薬、および前記ＰＣＴまたは１以上のその断片のレベルを決定するための検出試薬と、及び
−ｐｒｏＡＤＭの高および／または低重症度レベルに対応する参照レベルを含むＰＣＴレベルに対応する参照データであって、低重症度レベルが、４ｎｍｏｌ／ｌ未満であり、および高重症度レベルが、６．５ｎｍｏｌ／ｌ超であり、かつ
ｐｒｏＡＤＭまたは１以上のその断片の決定されたレベル、およびＰＣＴまたは１以上のその断片の決定されたレベルと比較するために構成されたコンピュータで実行可能なコードの形式で用いられる、前記参照データと、を含む、前記キット。
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
第１反応部位および第２反応部位を含むビーズアレイであって、前記第１および第２反応部位の各々がビーズおよび捕捉剤を含み、前記第１反応部位の前記捕捉剤が前記第２反応部位の前記捕捉剤とは異なるビーズアレイにおいて、
前記第１反応部位の前記捕捉剤が、第１標的および第２標的を特異的に結合するように構成され、前記第１および前記第２標的の各々がタンパク質性化合物であり、前記第１標的の前記分子量が前記第２標的の前記分子量と異なり、
前記第２反応部位の前記捕捉剤が、第３標的を特異的に認識するように構成され、
前記第１反応部位は前記第１標的の分子量に由来する値、前記第２標的の分子量に由来する値、及びサンプル中の前記第１標的の予測される存在量に関する情報を含む組み合わせと関連付けられる、ビーズアレイ。
【請求項２】
前記サンプルは、無細胞タンパク質転写−翻訳反応、細菌細胞培養物、哺乳類細胞培養物、細胞培養上清、異種移植片、組織生検、又は生体液である、請求項１に記載のビーズアレイ。
【請求項３】
前記サンプルは、酵素消化により生成される、請求項１に記載のビーズアレイ。
【請求項４】
前記存在量情報は定性的である、請求項１に記載のビーズアレイ。
【請求項５】
前記存在量情報は、前記サンプル中の前記第１標的および前記第２標的の相対的な存在量である、請求項１に記載のビーズアレイ。
【請求項６】
前記組み合わせは更に、前記第１反応部位に特異的に結合し得る異なる標的の量に関する情報を含む、請求項１に記載のビーズアレイ。
【請求項７】
前記組み合わせは更に、前記第１反応部位および前記第２反応部位に非特異的に結合する標的に関する情報を含む、請求項１に記載のビーズアレイ。
【請求項８】
前記第１標的は、異なるタンパク質の同一フラグメントを含む、請求項１に記載のビーズアレイ。
【請求項９】
前記第１標的および前記第２標的は、異なるタンパク質のタンパク質分解フラグメントを含む、請求項１に記載のビーズアレイ。
【請求項１０】
前記第１標的および前記第２標的は、異なる種に由来するペプチドを含む、請求項１に記載のビーズアレイ。
【請求項１１】
前記第１標的は内因性ペプチドであり、前記第２標的は合成ペプチドである、請求項１に記載のビーズアレイ。
【請求項１２】
前記第１標的および前記第３標的は、同一のアミノ酸配列の化学修飾物を異なる量で含む、請求項１に記載のビーズアレイ。
【請求項１３】
前記第１標的および前記第３標的は、ペプチドアイソフォームを含む、請求項１に記載のビーズアレイ。
【請求項１４】
前記第１標的の分子量は、前記第３標的の分子量と同一である、請求項１に記載のビーズアレイ。
【請求項１５】
前記第１標的の分子量は、前記第３標的の分子量と１Ｄａ未満異なる、請求項１に記載のビーズアレイ。
【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
１つ又は複数のクロックサイクル中に１つ又は複数の入力信号を処理するように構成された分類器システムであって、
複数の下位分類器であって、前記複数の下位分類器のそれぞれは、
加重入力信号を生成するためにそれぞれのクロックサイクルについてそれぞれの入力信号に重みを適用するように構成された加重入力モジュール、及び
前記加重入力モジュールに結合された比較モジュールであって、
比較モジュールの入力ラインにおける前記加重入力信号を受信し、
比較モジュールの出力ラインにおける出力信号を生成する
ように構成され、
前記加重入力信号が下のウィンドウ範囲値と上のウィンドウ範囲値との間の値を有するかどうかを判定し、
前記加重入力信号が前記下のウィンドウ範囲値と前記上のウィンドウ範囲値との間の値を有すると判定することに応答して、前記比較モジュールの出力ラインにおいて所定の出力閾値を上回る値を有するように第１の出力信号を設定し、
前記加重入力信号が前記下のウィンドウ範囲値と前記上のウィンドウ範囲値との間ではない値を有すると判定することに応答して、前記比較モジュールの出力ラインにおいて前記所定の出力閾値を下回る値を有するように前記第１の出力信号を設定する
ように更に構成されている、比較モジュール
を含む、複数の下位分類器と、
前記複数の下位分類器に結合されたマスタ分類器であって、
前記１つ又は複数のクロックサイクル中に前記複数の下位分類器のそれぞれから前記個々の出力信号のそれぞれを受信し、
前記所定の出力閾値を上回る値を有するそれぞれの出力信号を生成する前記複数の下位分類器の部分集合に基づいて分類器応答を決定する
ように構成されている、マスタ分類器と
を含む、分類器システム。
【請求項２】
前記下位分類器のそれぞれが、他の任意の下位分類器の他の任意の個々のウィンドウ範囲と重複しない、前記下のウィンドウ範囲値と前記上のウィンドウ範囲値との間のそれぞれのウィンドウ範囲を有する、請求項１に記載の分類器システム。
【請求項３】
前記複数の下位分類器に結合されたマルチプレクサ
を更に含み、前記マルチプレクサは単一のクロックサイクル中に前記複数の下位分類器に前記入力信号の１つを与えるように構成されている、
請求項１又は２に記載の分類器システム。
【請求項４】
分類器システムを使用して１つ又は複数のクロックサイクル中に１つ又は複数の入力信号を処理するための方法であって、前記分類器システムが複数の下位分類器及び前記複数の下位分類器に結合されたマスタ分類器を含み、前記複数の下位分類器が加重入力モジュール及び比較モジュールをそれぞれ含み、前記方法が、
各下位分類器において、
加重入力信号を生成するためにそれぞれのクロックサイクルについてそれぞれの入力信号に前記加重入力モジュールにおいて重みを適用すること、
比較モジュールの入力ラインにおける前記加重入力信号を前記比較モジュールにおいて受信すること、及び
比較モジュールの出力ラインにおける出力信号を前記比較モジュールにおいて生成することであって、
前記加重入力信号が下のウィンドウ範囲値と上のウィンドウ範囲値との間の値を有するかどうかを前記比較モジュールにおいて判定すること、
前記加重入力信号が前記下のウィンドウ範囲値と前記上のウィンドウ範囲値との間の値を有すると判定することに応答して、前記比較モジュールの出力ラインにおいて所定の出力閾値を上回る値を有するように出力信号を前記比較モジュールにおいて設定すること、及び
前記加重入力信号が前記下のウィンドウ範囲値と前記上のウィンドウ範囲値との間ではない値を有すると判定することに応答して、前記比較モジュールの出力ラインにおいて前記所定の出力閾値を下回る値を有するように前記出力信号を前記比較モジュールにおいて設定すること
を含む、生成すること、並びに
前記マスタ分類器において、
前記１つ又は複数のクロックサイクル中に前記複数の下位分類器のそれぞれから前記出力信号のそれぞれを受信すること、及び
前記所定の出力閾値を上回る値を有するそれぞれの出力信号を生成する前記複数の下位分類器の部分集合に基づいて分類器応答を決定すること
を含む、方法。
【請求項５】
前記下位分類器のそれぞれが、他の任意の下位分類器の他の任意のそれぞれのウィンドウ範囲と重複しない、前記下のウィンドウ範囲値と前記上のウィンドウ範囲値との間のそれぞれのウィンドウ範囲を有する、請求項４に記載の方法。
【請求項６】
前記分類器システムが前記複数の下位分類器に結合されたマルチプレクサモジュールを含み、
前記マルチプレクサモジュールにおいて単一のクロックサイクル中に前記複数の下位分類器に前記入力信号の１つを与えること
を更に含む、請求項４又は５に記載の方法。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
複数のゲノム・データ・ファイルに対する少なくとも１つの差分ファイルを圧縮する方法であって、前記方法は、
インプットとして前記複数のゲノム・データ・ファイルを受信するステップと、
前記受信された複数のゲノム・データ・ファイルを精査して複数の行を判断するステップと、
前記精査された複数のゲノム・データ・ファイルに関連付けられた前記複数の行を対比するステップと、
前記対比された複数の行に基づいて複数の派生差分ファイルを生成するステップと、
汎用ファイル・コンプレッサを用いて、前記生成された複数の派生差分ファイルを圧縮するステップと、
を含む、方法。
【請求項２】
前記圧縮された複数の派生差分ファイルをユーザのデバイスに格納するステップと、
前記圧縮された複数の派生差分ファイルを前記ユーザに提示するステップと、
をさらに含む、請求項１に記載の方法。
【請求項３】
インプットとして前記複数のゲノム・データ・ファイルを受信するステップが、
少なくとも１つのソース・ファイルを受信するステップと、
少なくとも１つの目的ファイルを受信するステップと、
をさらに含む、請求項１に記載の方法。
【請求項４】
前記受信された複数のゲノム・データ・ファイルがソートされていないことを判断するステップと、
前記受信された複数のゲノム・データ・ファイル内の前記複数の行のそれぞれを、ソーティング・ツールを用いてソートするステップと、
をさらに含む、請求項３に記載の方法。
【請求項５】
前記受信された複数のゲノム・データ・ファイルが、対応可能なフォーマットであることを判断するステップ、
をさらに含む、請求項１に記載の方法。
【請求項６】
前記受信された複数のゲノム・データ・ファイルを精査することによって複数の行を判断するステップが、
前記受信された複数のゲノム・データ・ファイルに関連付けられた前記複数の行内の各行を読み取るステップと、
前記受信された複数のゲノム・データ・ファイルが同調されていることを判断するステップと、
をさらに含む、請求項１に記載の方法。
【請求項７】
前記精査された複数のゲノム・データ・ファイルに関連付けられた前記複数の行を対比するステップが、
前記対比される複数の行に関連付けられた複数の特定のコラムを対比するステップと、
前記対比された複数の特定のコラムが、前記精査された複数のゲノム・データ・ファイルの前記対比された複数の行と一致することを判断するステップと、
前記複数の行内の各行に対し、複数の追加のコラムを対比するステップと、
前記精査された複数のゲノム・データ・ファイルの前記複数の行内の各行に対し前記対比された複数の追加のコラムに基づいて、前記複数の派生差分ファイルを生成するステップと、
前記精査された複数のゲノム・データ・ファイルに関連付けられた前記複数の行内の次の行を読み取るステップと、
をさらに含む、請求項１に記載の方法。
【請求項８】
前記精査された複数のゲノム・データ・ファイルに関連付けられた前記複数の行を対比するステップが、
前記対比される複数の行に関連付けられた複数の特定のコラムを対比するステップと、
前記対比された複数の特定のコラムと、前記精査された複数のゲノム・データ・ファイルの前記対比された複数の行とが不一致であることを判断するステップと、
前記精査された複数のゲノム・データ・ファイルに関連付けられた前記複数の行内の次の行を読み取るステップと、
をさらに含む、請求項１に記載の方法。
【請求項９】
請求項１〜８のいずれか１項に記載の前記方法の各ステップをコンピュータ・ハードウェアによる手段として構成したシステム。
【請求項１０】
請求項１〜８のいずれか１項に記載の前記方法の各ステップをコンピュータに実行させる、コンピュータ・プログラム。